(57)【要約】【課題】受信装置において映像コンテンツの任意の領域の拡大表示を許可するか否かを、当該映像コンテンツを放送する放送局側で制御可能とする。【解決手段】受信装置は、放送波により送信される映像コンテンツの任意の領域を拡大表示することを許可するか否かを示す拡大表示可否情報が記載された記述子が多重された放送波を分離する多重分離部と、多重分離部により分離された記述子に記載されている拡大表示可否情報を抽出する抽出部と、を備える。【選択図】図１
2015226222.tif 000002
【特許請求の範囲】
【請求項１】
放送波により送信される映像コンテンツの任意の領域を拡大表示することを許可するか否かを示す拡大表示可否情報が記載された記述子が多重された前記放送波を分離する多重分離部と、
前記多重分離部により分離された前記記述子に記載されている前記拡大表示可否情報を抽出する抽出部と、
を備えることを特徴とする受信装置。
【請求項２】
前記抽出部により抽出された前記拡大表示可否情報に基づいて、前記映像コンテンツの任意の領域を表示部に拡大表示させるか否かを制御する表示制御部、
を備えることを特徴とする請求項１に記載の受信装置。
【請求項３】
コンピュータに、
放送波により送信される映像コンテンツの任意の領域を拡大表示することを許可するか否かを示す拡大表示可否情報が記載された記述子が多重された前記放送波を分離するステップと、
分離された前記記述子に記載されている前記拡大表示可否情報を抽出するステップと、
を実行させるためのプログラム。
【発明の詳細な説明】
【技術分野】
【０００１】
本発明は、受信装置、およびプログラムに関する。
【背景技術】
【０００２】
超高精細度テレビジョン放送システムでは、ハイビジョン映像（２Ｋ映像）よりも高解像度の４Ｋ映像又は８Ｋ映像が放送される。非特許文献１は、現行の地上デジタルテレビジョン放送における放送局での運用及び放送受信機の機能仕様に関し規定したものである。また、非特許文献２は、現行のＢＳ／広帯域ＣＳデジタル放送における放送局での運用及び放送受信機の機能仕様に関し規定したものである。
【先行技術文献】
【非特許文献】
【０００３】
【非特許文献１】「地上デジタルテレビジョン放送運用規定」、ＡＲＩＢ  ＴＲ−Ｂ１４、５．５版、社団法人電波産業会、平成２６年３月１８日改定。
【非特許文献２】「ＢＳ／広帯域ＣＳデジタル放送運用規定」、ＡＲＩＢ  ＴＲ−Ｂ１５、６．４版、社団法人電波産業会、平成２６年３月１８日改定。
【発明の概要】
【発明が解決しようとする課題】
【０００４】
超高精細度テレビジョン放送システムでは、ハイビジョン映像（２Ｋ映像）よりも高解像度の４Ｋ映像又は８Ｋ映像が放送されるため、拡大表示したときの表示品質の劣化が少ない。そのため、受信装置において、ユーザの要求に応じて映像コンテンツの任意の領域の拡大表示を行う可能性がある。なお、映像コンテンツの任意の領域の拡大表示を行うことは、超高精細度テレビジョン放送システムの場合に限られるものではなく、ハイビジョン（高精細度テレビジョン）放送システム等のような他の放送システムの場合にも行われてもよい。ところが、映像コンテンツによっては、コンテンツ保護の観点から映像コンテンツの任意の領域の拡大表示を許可したくない場合もある。しかしながら、非特許文献１又は非特許文献２に示す現行の放送運用規定では、受信装置において、映像コンテンツの任意領域の拡大表示を許可するか否かを、放送局側で制御できるようにすることが困難であった。
【０００５】
本発明は、このような事情に鑑みてなされたもので、受信装置において映像コンテンツの任意の領域の拡大表示を許可するか否かを、当該映像コンテンツを放送する放送局側で制御可能とすることを目的の一つとする。
【課題を解決するための手段】
【０００６】
上記課題を解決するために、本発明の一態様は、放送波により送信される映像コンテンツの任意の領域を拡大表示することを許可するか否かを示す拡大表示可否情報が記載された記述子が多重された前記放送波を分離する多重分離部と、前記多重分離部により分離された前記記述子に記載されている前記拡大表示可否情報を抽出する抽出部と、を備えることを特徴とする受信装置である。
【０００７】
また、本発明の一態様は、上記受信装置において、前記抽出部により抽出された前記拡大表示可否情報に基づいて、前記映像コンテンツの任意の領域を表示部に拡大表示させるか否かを制御する表示制御部、を備えることを特徴とする。
【０００８】
また、本発明の一態様は、コンピュータに、放送波により送信される映像コンテンツの任意の領域を拡大表示することを許可するか否かを示す拡大表示可否情報が記載された記述子が多重された前記放送波を分離するステップと、分離された前記記述子に記載されている前記拡大表示可否情報を抽出するステップと、を実行させるためのプログラムである。
【発明の効果】
【０００９】
本発明によれば、受信装置において映像コンテンツの任意の領域の拡大表示を許可するか否かを、当該映像コンテンツを放送する放送局側で制御可能とすることができる。
【図面の簡単な説明】
【００１０】
【図１】本実施形態による放送システムの構成の一例を示す概略ブロック図である。
【図２】本実施形態による表示方法制御記述子の一例を示す図である。
【図３】本実施形態による拡大表示処理の一例を示すフローチャートである。
【発明を実施するための形態】
【００１１】
以下、図面を参照して、本発明の実施の形態について説明する。
図１は、この発明の一実施形態による放送システム１の構成の一例を示す概略ブロック図である。
【００１２】
放送システム１は、地上アナログ放送、地上デジタル放送、衛星放送（ＢＳアナログ、ＢＳデジタル、１１０度ＣＳ、ＣＳデジタル等）、ケーブルテレビ（ＣＡＴＶ）、等のテレビジョン放送システムである。ここでは、放送システム１が、ハイビジョン映像（２Ｋ映像）よりも高解像度の４Ｋ映像、８Ｋ映像に対応した超高精細度テレビジョン放送システムであるものとして説明する。なお、２Ｋ映像、４Ｋ映像、及び８Ｋ映像は、映像の水平方向の画素数に基づく表現である。
【００１３】
図示する放送システム１は、放送事業者により開設された放送局に設置される送信装置１０と、送信装置１０から送信された放送波を受信する受信装置２０と、を備えている。送信装置１０は、多重化部１１、記述子情報生成部１２、及び伝送部１３を備えている。
【００１４】
多重化部１１は、映像コンテンツ、音声コンテンツ、及びデータを多重し、多重した放送データを伝送部１３に出力する。データには、字幕や文字情報、放送局や番組に関する情報、暗号化情報、コンテンツにおける制限情報等の各種情報が含まれる。
【００１５】
記述子情報生成部１２は、多重化部１１が多重する各種情報に含まれる記述子を生成する。例えば、記述子情報生成部１２は、表示方法制御記述子（ｆｒｅｅ＿ｄｉｓｐｌａｙ＿ｍｏｄｅ）を生成する。表示方法制御記述子は、放送波により送信される映像コンテンツの任意の領域を受信装置２０において拡大表示することを許可するか否かを示す情報（以下、拡大表示可否情報とも称する）が記載された記述子である。この表示方法制御記述子に記載される拡大表示可否情報は、例えば、放送する映像コンテンツの提供者によって、チャンネル（サービス）ごと、又は映像コンテンツごとに定められる。記述子情報生成部１２は、生成した表示方法制御記述子を多重化部１１に出力する。これにより、多重化部１１は、表示方法制御記述子を多重した放送データを伝送部１３に出力する。
【００１６】
図２は、本実施形態による表示方法制御記述子の一例を示す図である。ここでは、映像コンテンツの任意の領域の拡大表示を許可する場合、表示方法制御記述子には拡大表示可否情報として「０」が記載される。一方、映像コンテンツの任意の領域の拡大表示を禁止する場合、表示方法制御記述子には拡大表示可否情報として「１」が記載される。なお、放送データにおける表示方法制御記述子の配置例については、後述する。
【００１７】
図１に戻り、伝送部１３は、多重化部１１が多重した放送データを、放送波として送信する。なお、放送波は、地上アナログ放送、地上デジタル放送、衛星放送（ＢＳアナログ、ＢＳデジタル、１１０度ＣＳ、ＣＳデジタル等）、ケーブルテレビ（ＣＡＴＶ）、等のいずれの放送波であってもよい。
【００１８】
受信装置２０は、放送波を受信する機能を備えた電子機器である。例えば、受信装置２０は、テレビジョン、携帯電話、スマートフォン、タブレット型端末装置、パーソナルコンピュータ等であり、送信装置１０から放送波により送信された映像コンテンツを表示する。
【００１９】
図示する受信装置２０は、受信部２１、多重分離部２２、抽出部２３、操作入力部２４、表示制御部２５、及び表示部２６を備えている。
受信部２１は、送信装置１０から送信された放送波を受信し、選局されているチャンネルの放送波から復調した放送データを多重分離部２２に出力する。
多重分離部２２は、受信部２１から出力された放送データから映像コンテンツ、音声コンテンツ、及びデータを多重分離する。
【００２０】
抽出部２３は、多重分離部２２により分離されたデータのうち、表示方法制御記述子に記載されている拡大表示可否情報を抽出する。また、抽出部２３は、抽出した拡大表示可否情報を表示制御部２５に出力する。
【００２１】
操作入力部２４は、受信装置２０を遠隔操作するリモートコントローラ（以下、リモコンと称する）から送信される赤外線信号を受信することにより、ユーザの操作入力を受け付ける。例えば、操作入力部２４は、ユーザのリモコンへの操作により、受信装置２０の電源のオン／オフ、選択されたチャンネルの情報（選局情報）等の操作入力を受け付ける。
【００２２】
また、操作入力部２４は、表示部２６に表示される映像コンテンツの任意の領域を拡大表示する操作入力を受け付ける。拡大表示する操作の一例としては、例えば、ユーザは、リモコンの上方向、下方向、左方向、及び右方向のそれぞれを選択する上下左右ボタンに対して操作することにより、表示部２６の表示画面上でカーソルを移動させて映像コンテンツの拡大する領域（例えば、拡大する領域の中心）を選択する。次に、ユーザは、リモコンのズームボタンに対して操作することにより拡大倍率を選択する。このような操作により、ユーザは、映像コンテンツの任意の領域を拡大表示させることができる。
【００２３】
操作入力部２４は、ユーザのリモコンへの操作により選択された、拡大表示する領域の座標情報及び拡大倍率の情報を受け付けて、表示制御部２５に出力する。なお、操作入力部２４は、リモコンに対するユーザの操作入力に限らず、受信装置２０に設けられた操作ボタンに対するユーザの操作入力を受け付けてもよい。
【００２４】
表示制御部２５は、多重分離部２２により分離された映像コンテンツを表示部２６に表示させる。例えば、表示制御部２５は、抽出部２３により抽出された拡大表示可否情報に基づいて、映像コンテンツの任意の領域を表示部に拡大表示するか否かを制御する。
【００２５】
具体的には、映像コンテンツの任意の領域を拡大表示する操作入力を操作入力部２４が受け付けた場合、表示制御部２５は、抽出部２３により抽出された拡大表示可否情報を参照する。そして、表示制御部２５は、拡大表示可否情報が「０」（任意の領域の拡大表示を許可）である場合、拡大表示する領域の座標情報、及び拡大倍率の情報を操作入力部２４から取得し、取得した情報に基づいて映像コンテンツを拡大して表示部２６に表示させる。一方、表示制御部２５は、拡大表示可否情報が「１」（任意の領域の拡大表示を禁止）である場合、映像コンテンツを拡大せずに表示部２６に表示させる。
【００２６】
表示部２６は、画像や文字等の情報を表示する液晶ディスプレイや有機ＥＬ（Ｅｌｅｃｔｒｏ−Ｌｕｍｉｎｅｓｃｅｎｃｅ）ディスプレイ等の表示デバイスを備えている。例えば、表示部２６は、表示制御部２５の制御により、拡大表示された映像コンテンツ又は拡大表示されていない映像コンテンツを表示する。
【００２７】
（表示方法制御記述子の配置例）
ここで、多重化された放送データにおける表示方法制御記述子の配置例について説明する。以下の説明では、まず、（１）超高精細度テレビジョン放送の場合の配置例を説明する。また、本実施形態による拡大表示処理は、超高精細度テレビジョン放送以外のテレビジョン放送にも適用できるため、次に、（２）地上デジタルテレビジョン放送又はＢＳ／広帯域ＣＳデジタル放送の場合の配置例を説明する。
【００２８】
（１）超高精細度テレビジョン放送の場合
超高精細度テレビジョン放送では、ＭＦＵ（Ｍｅｄｉａ  Ｆｒａｇｍｅｎｔ  Ｕｎｉｔ）やＭＰＵ（Ｍｅｄｉａ  Ｐｒｏｃｅｓｓｉｎｇ  Ｕｎｉｔ）に映像コンテンツ及び音声コンテンツを格納して伝送するＭＭＴ（ＭＰＥＧ  Ｍｅｄｉａ  Ｔｒａｎｓｐｏｒｔ）の標準化が検討されている。
【００２９】
ＭＭＴパッケージの構成を示す伝送制御信号であるＭＭＴ−ＳＩは、テーブルや記述子が含まれる「メッセージ」と、記述子が含まれる「テーブル」と、「記述子」との３階層で構成される。ＭＭＴ−ＳＩの「メッセージ」には、ＰＡ（Ｐａｃｋａｇｅ  Ａｃｃｅｓｓ）メッセージ及びＭ２セクションメッセージが含まれる。
【００３０】
例えば、表示方法制御記述子は、ＰＡメッセージに含まれるＭＰＴ（ＭＭＴ  Ｐａｃｋａｇｅ  Ｔａｂｌｅ）の第１ループに配置される。なお、表示方法制御記述子は、ＰＡメッセージに含まれるＭＰＴの第２ループに配置されてもよい。また、表示方法制御記述子は、Ｍ２セクションメッセージに含まれるＭＨ−ＳＤＴ（Ｓｅｒｖｉｃｅ  Ｄｅｓｃｒｉｐｔｉｏｎ  Ｔａｂｌｅ）に配置されてもよい。また、表示方法制御記述子は、Ｍ２セクションメッセージに含まれるＭＨ−ＥＩＴ（Ｅｖｅｎｔ  Ｉｎｆｏｒｍａｔｉｏｎ  Ｔａｂｌｅ）に配置されてもよい。
つまり、表示方法制御記述子は、例えば、ＭＰＴ（第１ループ）、ＭＰＴ（第２ループ）、ＳＤＴ、及びＥＩＴの４つのテーブルの全て、又はいずれか（一つ又は複数）に配置される。
【００３１】
（２）地上デジタルテレビジョン放送又はＢＳ／広帯域ＣＳデジタル放送の場合
地上デジタルテレビジョン放送又はＢＳ／広帯域ＣＳデジタル放送では、ＭＰＥＧ−２  ＴＳ（Ｔｒａｎｓｐｏｒｔ  Ｓｔｒｅａｍ）が標準化されている。ＴＳは、複数のＴＳパケットから構成され、映像コンテンツ及び音声コンテンツを格納したＰＥＳ（Ｐａｃｋｅｔｉｚｅｄ  Ｅｌｅｍｅｎｔａｒｙ  Ｓｔｒｅａｍ）と、ＰＳＩ（Ｐｒｏｇｒａｍ  Ｓｐｅｃｉｆｉｃ  Ｉｎｆｏｒｍａｔｉｏｎ）及びＳＩの情報が格納されたセクションと、が納められている。
【００３２】
ＰＳＩには、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔｉｍｅ）等が含まれる。また、ＳＩには、ＳＤＴ（Ｓｅｒｖｉｃｅ  Ｄｅｓｃｒｉｐｔｉｏｎ  Ｔａｂｌｅ）、ＥＩＤ（Ｅｖｅｎｔ  Ｉｎｆｏｒｍａｔｉｏｎ  Ｔａｂｌｅ）、ＴＤＴ（Ｔｉｍｅ  Ｄａｔｅ  Ｔａｂｌｅ）、ＴＯＴ（Ｔｉｍｅ  Ｏｆｆｓｅｔ  Ｔａｂｌｅ）等が含まれる。例えば、表示方法制御記述子は、ＰＭＴ（第１ループ）、ＰＭＴ（第２ループ）、ＳＤＴ、及びＥＩＴの４つのテーブルの全て、又はいずれか（一つ又は複数）に配置される。
【００３３】
（拡大表示処理の説明）
次に、図３を参照して、本実施形態による受信装置２０が映像コンテンツの任意の領域を拡大表示する拡大表示処理の動作を説明する。図３は、本実施形態による拡大表示処理の一例を示すフローチャートである。
【００３４】
受信部２１は、送信装置１０から送信された放送波を受信し、受信した放送波のうちの選局されているチャンネルの放送データを多重分離部２２に出力する（ステップＳ１０）。多重分離部２２は、受信部２１から出力された放送データから映像コンテンツ、音声コンテンツ、及びデータを多重分離する（ステップＳ２０）。
【００３５】
次に、抽出部２３は、多重分離部２２により分離されたデータのうち、表示方法制御記述子に記載されている拡大表示可否情報を抽出し、抽出した拡大表示可否情報を表示制御部２５に出力する（ステップＳ３０）。
【００３６】
表示制御部２５は、操作入力部２４からの出力に基づいて、映像コンテンツの任意の領域を拡大表示する操作入力があったか否かを判定する（ステップＳ４０）。映像コンテンツの任意の領域を拡大表示する操作入力がないと判定された場合（ステップＳ４０：Ｎｏ）、表示制御部２５は、映像コンテンツを拡大せずに表示部２６に表示させる（ステップＳ７０）。
【００３７】
一方、映像コンテンツの任意の領域を拡大表示する操作入力があったと判定された場合（ステップＳ４０：Ｙｅｓ）、表示制御部２５は、抽出部２３が抽出した拡大表示可否情報に基づいて、映像コンテンツの任意の領域の拡大表示が許可されているか否かを判定する（ステップＳ５０）。
【００３８】
拡大表示可否情報が「０」（任意の領域の拡大表示を許可）である場合、表示制御部２５は、映像コンテンツの任意の領域の拡大表示が許可されていると判定する（ステップＳ５０：Ｙｅｓ）。この場合、表示制御部２５は、拡大表示する領域の座標情報、及び拡大倍率の情報を操作入力部２４から取得し、取得した情報に基づいて映像コンテンツを拡大して表示部２６に表示させる（ステップＳ６０）。
【００３９】
一方、拡大表示可否情報が「１」（任意の領域の拡大表示を禁止）である場合、表示制御部２５は、映像コンテンツの任意の領域の拡大表示が禁止されている（許可されていない）と判定する（ステップＳ５０：Ｎｏ）。この場合、表示制御部２５は、映像コンテンツを拡大せずに表示部２６に表示させる（ステップＳ７０）。
【００４０】
以上説明したように、本実施形態による放送システム１において、受信装置２０は、多重分離部２２と、抽出部２３と、を備えている。多重分離部２２は、放送波により送信される映像コンテンツの任意の領域を拡大表示することを許可するか否かを示す拡大表示可否情報が記載された記述子（表示方法制御記述子）が多重された放送波を分離する。抽出部２３は、多重分離部２２により分離された記述子（表示方法制御記述子）に記載されている拡大表示可否情報を抽出する。
【００４１】
これにより、受信装置２０は、放送波により送信される映像コンテンツが、任意の領域の拡大表示が許可されているコンテンツであるか、又は任意の領域の拡大表示が禁止されているコンテンツであるかを、放送波に多重されている情報に基づいて判断することができる。よって、本実施形態によれば、受信装置２０において映像コンテンツの任意の領域の拡大表示を許可するか否かを、当該映像コンテンツを放送する放送局側で制御可能とすることができる。
【００４２】
また、受信装置２０は、抽出部２３により抽出された拡大表示可否情報に基づいて、映像コンテンツの任意の領域を表示部２６に拡大表示させるか否かを制御する表示制御部２５を備えている。
例えば、受信装置２０は、放送局側（送信装置１０）で設定された拡大表示可否情報に基づいて、任意の領域の拡大表示が許可されている場合には映像コンテンツを表示部２６に拡大表示し、任意の領域の拡大表示が許可されていない場合には映像コンテンツの拡大表示を禁止する。
これにより、受信装置２０は、映像コンテンツを放送する放送局側（送信装置１０）で設定された拡大表示可否情報に基づいて、映像コンテンツの任意の領域を拡大表示させるか否かを制御することができる。
【００４３】
また、本実施形態による放送システム１において、送信装置１０は、多重化部１１と、記述子情報生成部１２と、を備えている。
記述子情報生成部１２は、放送波により送信する映像コンテンツの任意の領域を拡大表示することを許可するか否かを示す拡大表示可否情報が記載された記述子（表示方法制御記述子）を生成する。多重化部１１は、記述子情報生成部１２により生成された記述子（表示方法制御記述子）と映像コンテンツとを多重する。
これにより、送信装置１０は、放送波に記述子（表示方法制御記述子）を多重することにより、受信装置２０において映像コンテンツの任意の領域の拡大表示を許可するか否かを制御することができる。
【００４４】
なお、上記実施形態では、受信装置２０が、映像コンテンツの任意の領域を拡大表示させる操作入力がされた場合に、拡大表示可否情報に基づいて映像コンテンツの任意の領域の拡大表示が許可されているか否かを判定する処理を説明したが、これに限られるものではない。例えば、受信装置２０は、まず、拡大表示可否情報に基づいて映像コンテンツの任意の領域の拡大表示が許可されているか否かを判定してもよい。そして、受信装置２０は、任意の領域の拡大表示が許可されている場合には、任意の領域を拡大表示させる操作入力が可能なように許可し、任意の領域の拡大表示が禁止されている場合には、任意の領域を拡大表示させる操作入力ができないように禁止してもよい。
【００４５】
以上、この発明の一実施形態を図面を参照して詳述してきたが、具体的な構成はこの実施形態に限られるものではなく、この発明の要旨を逸脱しない範囲の設計等も含まれる。
【００４６】
なお、図１の送信装置１０が備える多重化部１１及び記述子情報生成部１２の一部もしくは全部、又は受信装置２０が備える多重分離部２２、抽出部２３、及び表示制御部２５の一部もしくは全部は専用のハードウェアにより実現されるものであってもよく、また、メモリおよびＣＰＵ（中央演算装置）により構成され、上述の各部の機能を実現するためのプログラムをメモリにロードして実行することによりその機能を実現させるものであってもよい。
【００４７】
例えば、図１の送信装置１０が備える多重化部１１及び記述子情報生成部１２の一部もしくは全部、又は受信装置２０が備える多重分離部２２、抽出部２３、及び表示制御部２５の一部もしくは全部の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【００４８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００４９】
なお、上記実施形態では、受信装置２０が表示部２６を備えた構成を例に説明したが、受信装置２０は、放送波を受信する機能を備えた録画機等のように表示機能を備えていない構成でもよい。つまり、表示部２６は、受信装置２０と接続される外部の表示装置として構成されてもよい。
【符号の説明】
【００５０】
１  放送システム、１０  送信装置、１１  多重化部、１２  記述子情報生成部、１３  伝送部、２０  受信装置  ２１  受信部、２２  多重分離部、２３  抽出部、２４  操作入力部、２５  拡大表示制御部、２６  表示部
【図１】
2015226222.tif 000003
【図２】
2015226222.tif 000004
【図３】
2015226222.tif 000005